(57)【要約】      （修正有）【課題】通常のキャリーバーを使用したうえで、サブバッグを掛けるフックが不使用時に邪魔にならず、且つ幅広の帯も掛けることができる鞄を提供する。【解決手段】鞄は、自立可能なケース本体と、ケース本体に設けられ自立した状態のケース本体から上方へ引出可能なキャリーバー２１と、キャリーバーの上端に設けられ把持可能な取っ手２２と、取っ手に設けられキャリーバーの引出位置のロックを解除するロック操作部２３とを備えている。取っ手は、上方に開放するように窪んだ形状のフック部２４、３４を備えている。【選択図】図２
0003208872.tif 000002
【実用新案登録請求の範囲】
【請求項１】
自立可能なケース本体と、このケース本体に設けられ自立した状態の前記ケース本体から上方へ引出可能なキャリーバーと、このキャリーバーの上端に設けられ把持可能な取っ手と、この取っ手に設けられ前記キャリーバーの引出位置のロックを解除するロック操作部とを備える鞄において、
前記取っ手は、上方に開放するように窪んだ形状又は上方に突出した形状のフック部を備えていることを特徴とする鞄。
【請求項２】
前記フック部は、前記取っ手の上面に且つ前記取っ手の長手方向内側に設けられていることを特徴とする請求項１記載の鞄。
【請求項３】
前記取っ手は、長手方向に沿ってスライド可能に設けられ前記ロック操作部の上方を開閉するスライドカバーを備え、
前記フック部は、前記スライドカバーの端部に設けられると共に、前記スライドカバーを外方に移動させることで前記取っ手の外方に位置することを特徴とする請求項１記載の鞄。
【請求項４】
前記スライドカバーは、スライド方向の断面視で、Ｕ字状に形成されていることを特徴とする請求項３記載の鞄。
【請求項５】
前記スライドカバーには、前記フック部を前記取っ手の外方に位置させることで前記ロック操作部の上方が閉状態になり、前記フック部を前記取っ手の内方に位置させることで前記ロック操作部の上方が開状態になる開口部が形成されていることを特徴とする請求項３又は請求項４記載の鞄。
【考案の詳細な説明】
【技術分野】
【０００１】
本考案は、ビジネスや旅行等で持ち運ぶ鞄に関し、特に、キャリーバーを備えた鞄に関するものである。
【背景技術】
【０００２】
ビジネスや旅行では荷物の持ち運びにスーツケース等の鞄を使用することが多い。重い鞄や大きい鞄は、キャスター及びキャリーバーを設けて手でキャリーバーを引くことで移動が容易になる。このような、キャスター及びキャリーバーが設けられた鞄が各種提案されている（例えば、特許文献１（図１）参照）。
【０００３】
特許文献１の技術を、次図で説明する。
図９に示すように、鞄としてのスーツケース１００は、自立させた状態である。スーツケース１００は、ケース本体１０１の底部にキャスター１０２が設けられ、ケース本体１０１の上部に引出可能にキャリーバー構造部１０３が設けられている。キャリーバー構造部１０３の引出位置は、調節操作部１０４を操作することで調節される。キャリーバー構造部１０３を引き出した状態にし、ハンドル１０５を手で引っ張ることでスーツケース１００が移動される。
【０００４】
ところで、ビジネスや旅行においてスーツケース１００を使用して移動する際、飲み物やお土産などを購入し買い物袋に入れて持ち歩くことがある。買い物袋を手に持って歩くと不便であるため一次的に買い物袋をスーツケース１００に掛けることができれば便利である。スーツケース１００は、キャリーバー構造部１０３が板状を呈し、中心付近から上部にかけて内側がくり抜かれ、このくり抜かれた部分にフック１０６が形成されており、フック１０６に買い物袋を掛けられる。
【０００５】
一般的なスーツケースのキャリーバーは、単純な形状の棒か伸縮棒である。しかし、スーツケース１００は、キャリーバー構造部１０３が板状で且つ中程をくり抜いてフック１０６を形成しているため、一般的なキャリーバーの部品が使用できないうえに、ケース本体１０１側も板状のキャリーバー構造１０３に対応した構造にする必要が生じる。このため、一般的なスーツケースのキャリーバーを使用できれば部品が流用できて好ましい。この要望に応える構造のスーツケースが提案されている（例えば、特許文献２（図８）参照）。
【０００６】
特許文献２の技術を、次図で説明する。
図１０に示すように、スーツケース１１０は、２本のキャリーバー１１１、１１１の上端に取っ手１１２が掛け渡され、取っ手１１２の中央にキャリーバー１１１、１１１の引出位置のロックを解除するロック解除部１１３が設けられている。取っ手１１２の長手方向両端には、側方に突き出るようにフック１１４、１１４が設けられている。これらのフック１１４、１１４に買い物袋等が掛けられる。
【０００７】
買い物袋がない場合は、フック１１４が邪魔にならないことが好ましい。しかし、フック１１４、１１４は、取っ手１１２から側方に突出するように設けられており、買い物袋等を掛ける必要がない場合は邪魔になる。また、フック１１４、１１４は、正面視でＬ字状を呈し、取っ手１１２の端部に設けられているため、フック１１４、１１４の立ち上がった部分と取っ手１１２との間が狭くなり、ショルダーバック等の幅広の帯が掛け難い。そこで、通常の一般的なキャリーバーを使用したうえで、フックが不使用時に邪魔にならず且つ帯も掛けることができる技術が望まれる。
【先行技術文献】
【特許文献】
【０００８】
【特許文献１】特開２０１５−１３６３９８号公報
【特許文献２】特開２０１５−２４１４１号公報
【考案の概要】
【考案が解決しようとする課題】
【０００９】
本考案は、通常のキャリーバーを使用したうえで、フックが不使用時に邪魔にならず且つ帯も掛けることができる鞄を提供することを課題とする。
【課題を解決するための手段】
【００１０】
請求項１に係る考案は、自立可能なケース本体と、このケース本体に設けられ自立した状態の前記ケース本体から上方へ引出可能なキャリーバーと、このキャリーバーの上端に設けられ把持可能な取っ手と、この取っ手に設けられ前記キャリーバーの引出位置のロックを解除するロック操作部とを備える鞄において、前記取っ手は、上方に開放するように窪んだ形状又は上方に突出した形状のフック部を備えていることを特徴とする。
【００１１】
請求項２に係る考案では、フック部は、取っ手の上面に且つ取っ手の長手方向内側に設けられている。
【００１２】
請求項３に係る考案では、取っ手は、長手方向に沿ってスライド可能に設けられロック操作部の上方を開閉するスライドカバーを備え、フック部は、スライドカバーの端部に設けられると共に、スライドカバーを外方に移動させることで取っ手の外方に位置する。
【００１３】
請求項４に係る考案では、スライドカバーは、スライド方向の断面視で、Ｕ字状に形成されている。
【００１４】
請求項５に係る考案は、スライドカバーには、フック部を取っ手の外方に位置させることでロック操作部の上方が閉状態になり、フック部を取っ手の内方に位置させることでロック操作部の上方が開状態になる開口部が形成されている。
【考案の効果】
【００１５】
請求項１に係る考案では、鞄は、ケース本体に設けられ自立した状態のケース本体から上方へ引出可能なキャリーバーと、このキャリーバーの上端に設けられ把持可能な取っ手とを備える。取っ手は、上方に開放するように窪んだ形状又は上方に突出した形状のフック部を備えているので、通常のキャリーバーを使用したうえで、取っ手にフック部を設けることができる。
【００１６】
加えて、フック部は、取っ手に上方に開放する窪み形状を形成するか又は上方に突出した形状を形成するだけであるので、簡単な構造にすることができる。さらに、窪み形状の幅を広く形成することで、ひも状のものだけでなく幅広の帯もフック部に掛けることができる。
【００１７】
請求項２に係る考案では、フック部は、取っ手の上面に且つ取っ手の長手方向内側に設けられているので、不使用時にフック部が取っ手の側方へ突出して邪魔になることがない。
【００１８】
請求項３に係る考案では、取っ手は、長手方向に沿ってスライド可能に設けられロック操作部の上方を開閉するスライドカバーを備える。フック部は、スライドカバーの端部に設けられると共に、スライドカバーを外方に移動させることで取っ手の外方に位置するので、既存の部品を流用してフック部を形成することができる。結果、フック部を別途の部品で形成する必要がなく、部品コストを低減することができる。
【００１９】
請求項４に係る考案では、スライドカバーは、スライド方向の断面視で、Ｕ字状に形成されているので、縦壁部が上下方向の剛性を高める。結果、フック部で重い荷物を支持することができる。
【００２０】
請求項５に係る考案では、スライドカバーには、フック部を取っ手の外方に位置させることでロック操作部の上方が閉状態になり、フック部を取っ手の内方に位置させることでロック操作部の上方が開状態になる開口部が形成されている。フック部使用時には、ロック操作部の上方が閉状態になるので、誤ってロック操作部を押してキャリーバーのロックが解除されることを防止できる。
【図面の簡単な説明】
【００２１】
【図１】本考案に係る鞄の斜視図である。
【図２】実施例１に係る鞄の要部斜視図である。
【図３】実施例１に係るスライドカバーの作用図である。
【図４】図３の４−４線断面図である。
【図５】鞄の作用図である。
【図６】実施例２に係る鞄の要部斜視図である。
【図７】実施例３に係る鞄の要部正面図である。
【図８】実施例４に係る鞄の要部正面図である。
【図９】従来のスーツケースのフックを説明する図である。
【図１０】別の従来のスーツケースのフックを説明する図である
【考案を実施するための形態】
【００２２】
本考案を実施するための形態を添付図に基づいて以下に説明する。
【実施例１】
【００２３】
先ず、本考案の実施例１を図面に基づいて説明する。
図１に示されるように、鞄１０はスーツケースであり、衣類などの主物品を収納するケース本体１１と、このケース本体１１に図示せぬヒンジを介して開閉可能に取り付けられた蓋体１２と、ケース本体１１に引出可能に設けられたキャリーバー機構２０と、ケース本体１１及び蓋体１２に設けられたキャスター１３とを備えている。
【００２４】
キャリーバー機構２０は、自立した状態のケース本体１１から上方へ引き出されるキャリーバー２１、２１と、こられのキャリーバー２１、２１の上端に掛け渡すように設けられ把持可能な取っ手２２と、この取っ手２２に設けられキャリーバー２１、２１を引出位置にロックするとともに押すことでロックを解除するロック操作部２３とを備える。
【００２５】
キャスター１３の取付位置をケース本体１１及び蓋体１２の下部とした場合に、キャリーバー２１はケース本体１１の背面上部に位置しており、キャリーバー２１を引き出し、手で取っ手２２把持することで、鞄１０を牽引移動させることができる。また、キャスター１３を地面や床に設置することで、鞄１０を自立させることができる。
【００２６】
ケース本体１１の上部には、キャリーバー機構２０とは別に、持ち運び用の上部把持部１５が、揺動可能、起伏又は引出可能に設けられている。詳しくは、ケース本体１１の開口部に又は蓋体１２の開口部に設けられるフレーム１４の上部に、上部把持部１５が設けられている。さらに、ケース本体１１におけるヒンジの反対側の側部には、持ち運び用の側部把持部１６が揺動可能、起伏又は引出可能に設けられている。詳しくは、ケース本体１１の開口部に又は蓋体１２の開口部に設けられるフレーム１４の側部に、上部把持部１５が設けられている。
【００２７】
なお、上部把持部１５の形状及び側部把持部１６の形状は、実施例の形状に限定されず、固定式であってもよく、手で把持することができれば、他の一般的な取っ手の形状であっても差し支えない。また、実施例では、上部把持部１５及び側部把持部１６をフレーム１４に設けたが、これに限定されず、上部把持部１５をケース本体１１の上面に設け、側部把持部１６をケース本体１１の側面に設けてもよく、さらには、側部把持部１６は無くても差し支えない。
【００２８】
また、鞄１０は、ケース本体１１に対して蓋体１２を閉じた状態にロックするロック機構（不図示）を備えている。ロック機構は鍵や番号によって、ロック状態、アンロック状態が切り換えられる。
【００２９】
次にキャリーバー機構２０について説明する。
図２（ａ）に示されるように、キャリーバー機構２０の上端部に取っ手２２が設けられている。取っ手２２は、上方に開放するように窪んだ形状の第１のフック部２４が設けられている。第１のフック部２４は、取っ手２２を形成する際に窪ませただけであるので、簡単な形状にでき、加工コストを低減することができる。
【００３０】
また、取っ手２２は、この取っ手２２の長手方向に沿ってスライド可能に設けられたスライドカバー３１を備えている。スライドカバー３１は、上面を形成する上壁部３２と、上壁部３２の端部から折れ曲がり下方に延びる縦壁部３３と、縦壁部３３に設けられ上方に開放するように窪んだ形状の第２のフック部３４とを備えている。
【００３１】
取っ手２２の端部にはスライドカバー３１の移動を規制するストッパー２５が一体的に設けられている。ストッパー２５は、取っ手２２の端部を上方に突出させただけの簡単な構造であり、取っ手２２一体的に設けられているので、加工コストを低減することができる。スライドカバー３１は、矢印（１）のように移動させることができる。
【００３２】
図２（ｂ）に示されるように、スライドカバー３１は、外方に移動され、ストッパー２５により位置が規制された状態である。取っ手２２の長手方向において、スライドカバー３１の縦壁部３３は、上壁部３２よりも長く且つ上壁部３２の端部から外方へ延びるように形成されており、この縦壁部３３の外方に延びる部分に第２のフック部３４が形成されている。第２のフック部３４の使用時にスライドカバー３１を外方に移動させ、第２のフック部３４の不使用時にスライドカバー３１を収納することができるので、第２のフック部３４の不使用時にスライドカバー３１が邪魔になることがない。
【００３３】
図３（ａ）に示されるように、第１のフック部２４は、取っ手２２の上面２６に且つ取っ手２２の長手方向内側に設けられている。このため、第１のフック部２４の不使用時であっても第１のフック部２４が取っ手２２の側方へ突出して邪魔になることがない。
【００３４】
スライドカバー３１は、収納時、ロック操作部２３の上方を覆っている。取っ手２２には長手方向に沿って溝２７が設けられており、この溝２７にスライドカバーの一部が移動可能に嵌っている。スライドカバー３１を矢印（２）のように移動させると、第２のフック部３４を使用可能状態にすることができる。
【００３５】
図３（ｂ）に示されるように、第２のフック部３４は使用可能状態である。このとき、ロック操作部２３の上方は開放され、ロック操作部２３を操作することができる。第１のフック部２４と第２のフック部３４とはそれぞれ独立して設けられている。このため、買い物袋が１つの場合は、第１のフック部２４を使用し、買い物袋が複数ある場合は、第２のフック部３４を使用することができる。
【００３６】
図４に示されるように、スライドカバー３１は、スライド方向の断面視で、Ｕ字状に形成されている。この構成により、縦壁部３３、３３が上下方向の剛性を高める。結果、第２のフック部３４（図３参照）で袋を介して重い荷物を支持することができる。縦壁部３３、３３の下端には内側に折れ曲がる突出部３５、３５が設けられている。
【００３７】
図３、図４に示されるように、突出部３５、３５は、取っ手２２の長手方向に沿って延びるように形成されるとともに、溝２７に移動可能に嵌っている。この構成により、第２のフック部３４に比較的重い荷物を掛けても、スライドカバー３１を確実に支持することができる。
【００３８】
以上に述べた鞄１０の作用を次に説明する。
図５（ａ）に示されるように、キャリーバー機構２０は収納状態である。キャリーバー機構２０を引き上げるには、スライドカバー３１を外方に移動させ、ロック操作部２３の上方を開放する。ロック操作部２３を操作し、矢印（３）のように取っ手２２を移動させることで、キャリーバー機構２０がケース本体１１から引き上げられる。
【００３９】
ケース本体１１は、キャリーバー機構２０の収納部が凹部形状になっており、凹部形状の側壁１７と取っ手２２の端部との間には隙間１８があるため、スライドカバー３１の端部が側壁１７に接触することはない。なお、実施例では、隙間１８をスライドカバー３１が接触しない大きさに設定したが、これに限定されず、隙間１８を小さく設定した場合であっても、スライドカバー３１が接触しないような逃がし用の窪みを形成するなど、ケース本体１１の形状は問わない。
【００４０】
図５（ｂ）に示されるように、キャリーバー機構２０はケース本体１１から引き上げられた状態である。第１のフック部２４には買い物袋４１（いわゆるレジ袋）が掛けられている。第２のフック部２４には買い物袋４２（紙製の袋）が掛けられている。なお、実施例では買い物袋４１、４２を、レジ袋や紙製の袋としたがこれに限定されず、バッグや衣服を掛けても差し支えない。
【実施例２】
【００４１】
次に、本考案の実施例２を図面に基づいて説明する。なお、図５に示した構成と同一構成については同一符号を付け、詳細説明は省略する。
図６（ａ）に示されるように、スライドカバー３１は、上面を形成する上壁部３２と、上壁部３２の端部から折れ曲がり下方に延びる縦壁部３３と、縦壁部３３に設けられ上方に開放するように窪んだ形状の第２のフック部３４と、縦壁部３３の先端に設けられた接続端部３５とを備えている。スライドカバー３１を矢印（４）のように移動させる。
【００４２】
図６（ｂ）に示されるように、２つの縦壁部３３、３３は先端に接続端部３５が掛け渡され、２つの縦壁部３３、３３に第２のフック部３４、３４が設けられている。２つの縦壁部３３、３３で第２フック部３４、３４を構成することにより、第２のフック部３４、３４の剛性をより向上させ、比較的重い荷物であっても支持することができる。
【実施例３】
【００４３】
次に、本考案の実施例３を図面に基づいて説明する。なお、図４に示した構成と同一構成については同一符号を付け、詳細説明は省略する。
図７（ａ）に示されるように、スライドカバー３１には、第２のフック部３４を取っ手２２の外方に位置させることでロック操作部２３の上方が閉状態になり、第２のフック部３４を取っ手の内方に位置させることでロック操作部２３の上方が開状態になる開口部３６が形成されている。ロック操作部２３の上方が開状態から、スライドカバー３１を矢印（５）のように移動させる。
【００４４】
図７（ｂ）に示されるように、ロック操作部２３の上方が閉状態となる。この構成により、第２のフック部３４使用時には、ロック操作部２３の上方が閉状態になるので、誤ってロック操作部２３を押してキャリーバー２１のロックが解除されることを防止できる。
【００４５】
また、第１のフック部２４及び第２のフック部４４は、窪み形状の幅を広く形成することで、買い物袋４１のひも状のものだけでなく、バッグ４３の幅広の帯４４も掛けることができる。
【実施例４】
【００４６】
次に、本考案の実施例４を図面に基づいて説明する。なお、図７に示した構成と同一構成については同一符号を付け、詳細説明は省略する。
図８（ａ）に示されるように、取っ手２２は、上方に突出した形状の第３のフック部２４ａ及び第４のフック部３４ａを備えている。第３のフック部２４ａは、取っ手２２の端部を上方に突出させただけの簡単な形状である。第４のフック部３４ａは、スライドカバー３１の端部を上方に突出させただけの簡単な形状である。ロック操作部２３の上方が開状態から、スライドカバー３１を矢印（６）のように移動させる。
【００４７】
図８（ｂ）に示されるように、バッグ４３の幅広の帯４４であっても、容易に第３のフック部２４ａに掛けることができる。第４のフック部２４ａにも、幅広の帯４４を容易に掛けることができる。さらに、取っ手２２は、上方に突出した形状の第３フック部２４ａ及び第４のフック部３４ａを備えているので、通常のキャリーバー２１、２１を使用したうえで、取っ手２２にフック部２４ａ、３４ａを設けることができる。
【００４８】
尚、実施例では、鞄１０をスーツケースとしたが、これに限定されず、トランク、布製の鞄、革製の鞄等でもよく、自立可能でキャリーバーが設けられた鞄であれば種類は問わない。
【産業上の利用可能性】
【００４９】
本考案の鞄は、ビジネスや旅行に使用する鞄に好適である。
【符号の説明】
【００５０】
１０...  鞄（スーツケース）
１１...  ケース本体
２０...  キャリーバー構造
２１...  キャリーバー
２２...  取っ手
２３...  ロック操作部
２４、２４ａ、３４、３４ａ...  フック部
３１...  スライドカバー
３６...  開口部
【図１】
0003208872.tif 000003
【図２】
0003208872.tif 000004
【図３】
0003208872.tif 000005
【図４】
0003208872.tif 000006
【図５】
0003208872.tif 000007
【図６】
0003208872.tif 000008
【図７】
0003208872.tif 000009
【図８】
0003208872.tif 000010
【図９】
0003208872.tif 000011
【図１０】
0003208872.tif 000012